(57)【特許請求の範囲】
【請求項１】
一対のアームをヒンジ部で回動自在に連結したガラス厚み測定具であって、一方のアームの一端部にガラスの一面と接触するガラス接触部をガラスに向けて凸となるように設けると共に他方のアームの一端部にガラスの他面と略線接触するガラス接触部を略直線状に設け、一対のアームのうちの一方のアームに厚み指示部を設けると共に他方のアームに厚み目盛部を設けて、夫々のアームのガラス接触部同士でガラスを挟持すると同時にガラスの厚みに応じて厚み指示部が厚み目盛部を指示するように両方のアームをヒンジ部で回動自在に連結して成ることを特徴とするガラス厚み測定具。
【請求項２】
一方のアームの一端部にガラスに向けて凸となるように設けるガラス接触部を先細形状として成ることを特徴とする請求項１記載のガラス厚み測定具。
【請求項３】
一方のアームの一端部にガラスに向けて凸となるように設けるガラス接触部を略円弧状として成ることを特徴とする請求項２記載のガラス厚み測定具。
【請求項４】
厚み指示部を設けたアームにおいて、ガラス接触部からヒンジ部までの長さを厚み指示部からヒンジ部までの長さよりも短くして成ることを特徴とする請求項１乃至３のいずれかに記載のガラス厚み測定具。
【請求項５】
夫々のアームの内側のガラス接触部よりもヒンジ部側の部位にガラス枠との干渉を避けるための枠収納部を夫々設け、ガラスを夫々のガラス接触部同士で挟持する時に、一対のアームのうちの一方のアームの内側にガラス枠を押し当ててこのアームを回動させるための押し当て部を前記アームの内側に設けて成ることを特徴とする請求項１記載のガラス厚み測定具。
【請求項６】
ガラス接触部をガラスに向けて凸となるように設けた方のアームの端部のうちガラス接触部を設けていない側の端部近傍に取手部を設けて成ることを特徴とする請求項１乃至５のいずれかに記載のガラス厚み測定具。
【請求項７】
ガラス接触部をガラスに向けて凸となるように設けた方のアームと厚み指示部を設けたアームが同一のアームであり、前記アームの厚み指示部近傍に取手部を設けて成ることを特徴とする請求項６記載のガラス厚み測定具。
【発明の詳細な説明】
【０００１】
【発明の属する技術分野】
本発明は、ガラス厚みを簡易的に測定できるガラス厚み測定具に関するものである。
【０００２】
【従来の技術】
家庭で窓ガラスを清掃しようとする際、高所のためガラスの外面が拭けなかったり建物の内側からガラスの外面にまで手が届かないといったことが多々あったため、近年、家庭の窓等のガラスを建物の内面側と外面側から磁力によって挟持することでガラスの清掃を容易にする清掃器具が発明されている。
【０００３】
上記清掃器具を使用する際、この清掃器具を清掃したいガラスに使用できるか否かは清掃器具の磁力の大きさに因るものであり、更に磁力の大きさはガラスの厚みに因るため、この清掃器具を一般家庭で使用するため購入する場合、購入者が自分の家庭のガラスの厚みを計測することが必要となってきた。そこで、この清掃器具の製造者や販売者は、清掃器具の販売促進のために大量に配布するパンフレット等にガラス厚み測定具を添付して、購入者が簡単に家庭のガラスの厚みを測定できるようにすることで清掃器具の販売促進を企図するものであった。
【０００４】
そこで、図７に示すような従来より使用されているガラス厚み測定具３’を使用してガラスの厚みを計測することが考えられたが、このようなガラス厚み測定具３’はダイヤルゲージ等を使用した高価なものであり、大量に配布するパンフレット等に添付するものとしては不適当であった。
【０００５】
そこで更に、実用新案登録番号第３００５８４５号，第３０６２３７３号，第３０３８７０６号等に開示されてあるような簡易型のガラス厚み測定具を使用することが考えられたが、これらのガラス厚み測定具でガラスを挟持した場合、ガラス厚み測定具とガラスとの両接触点において略点接触となるため、ガラスを挟持した際のガラス厚み測定具とガラスとの為す角度が定まらず、ガラスの厚みを精度良く測定することができないものであった。
【０００６】
【発明が解決しようとする課題】
本発明は上記の点に鑑みてなされたものであり、その目的とするところは、簡易で且つ安価でありながらガラスの厚みを精度よく測定するガラス厚み測定具を提供することを課題とするものである。
【０００７】
【課題を解決するための手段】
上記課題を解決するために本発明に係るガラス厚み測定具は、一対のアーム１をヒンジ部２で回動自在に連結したガラス厚み測定具３であって、一方のアーム１の一端部にガラス４の一面４ａと接触するガラス接触部５をガラス４の一面４ａに向けて凸となるように設けると共に他方のアーム１の一端部にガラス４の他面４ｂと略線接触するガラス接触部５を略直線状に設け、一対のアーム１のうちの一方のアーム１に厚み指示部６を設けると共に他方のアーム１に厚み目盛部７を設けて、夫々のアーム１のガラス接触部５同士でガラス４を挟持すると同時にガラス４の厚みＴに応じて厚み指示部６が厚み目盛部７を指示するように両方のアーム１をヒンジ部２で回動自在に連結して成ることを特徴とするものである。このような構成とすることで、アーム１を薄い板状に成形することでガラス厚み測定具３を薄くできてパンフレット等に添付し易くなると共に、一方のアーム１に設けたガラス接触部５をガラス４と略線接触するように略直線状に設けてあるため、前記略直線状のガラス接触部５を片当りしないようにガラス４の他面４ｂに当接させることで、簡単に精度良くガラス４の厚みＴを計測できるようになるものである。
【０００８】
また、一方のアーム１の一端部にガラス４に向けて凸となるように設けるガラス接触部５を先細形状とすることが好ましい。このような構成とすることで、先細形状としたガラス接触部５をガラス４の一面４ａに接触させる際、常にガラス接触部５の一定点でガラス４と接触させることが可能となり、ガラス４の厚みＴの測定精度を良くすることができるものである。
【０００９】
また、一方のアーム１の一端部にガラス４に向けて凸となるように設けるガラス接触部５を略円弧状とすることが好ましい。このような構成とすることで、略円弧状としたガラス接触部５をガラス４の一面４ａに接触させる際、常にガラス接触部５の一点でガラス４と接触させることが可能となってガラス４の厚みＴの測定精度を良くできて且つ、ガラス接触部５を略円弧状としたことで先細形状でありながら欠損や摩耗が起こりにくくすることができるものである。
【００１０】
また、厚み指示部６を設けたアーム１において、ガラス接触部５からヒンジ部２までの長さＬ１を厚み指示部６からヒンジ部２までの長さＬ２よりも短くすることが好ましい。このような構成とすることで、梃子の原理によって厚み目盛部７の目盛間隔を実際の間隔よりも大きくとることができ、厚み指示部６が指示する厚み目盛部７の目盛が読み易くなるものである。
【００１１】
また、夫々のアーム１の内側のガラス接触部５よりもヒンジ部２側の部位にガラス枠４１との干渉を避けるための枠収納部８を夫々設け、ガラス４を夫々のガラス接触部５同士で挟持する時に、一対のアーム１のうちの一方のアーム１の内側にガラス枠４１を押し当ててこのアーム１を回動させるための押し当て部９を前記アーム１の内側に設けることが好ましい。このような構成とすることで、両アーム１に設けたガラス接触部５でガラス４を挟持する際、夫々のガラス接触部５間に隙間を形成した状態でガラス接触部５間にガラス枠４１及びガラス４を挿入して、ガラス枠４１をアーム１に設けた押し当て部９に押し当てていくことで、ガラス枠４１がガラス厚み測定具３と干渉することなく簡単に両アーム１に設けたガラス接触部５でガラス４を挟持することができるようになるものである。
【００１２】
また、ガラス接触部５をガラス４の一面４ａに向けて凸となるように設けた方のアーム１の端部のうちガラス接触部５を設けていない側の端部近傍に取手部１０を設けることが好ましい。このような構成とすることで、略直線状にガラス接触部５を設けた方のアーム１の前記略直線状のガラス接触部５をガラス４に当接させて、ガラス接触部５をガラス４に向けて凸となるように設けた方のアーム１に設けた取手部１０を掴んでこのアーム１のガラス接触部５をガラス４に接触するように回動させることで、簡単に両アーム１に設けたガラス接触部５でガラス４を挟持することができるようになるものである。
【００１３】
また、ガラス接触部５をガラス４に向けて凸となるように設けた方のアーム１と厚み指示部６を設けたアーム１が同一のアーム１であり、前記アーム１の厚み指示部６近傍に取手部１０を設けることが好ましい。このような構成とすることで、略直線状にガラス接触部５を設けた方のアーム１の前記略直線状のガラス接触部５をガラス４に当接させて、ガラス接触部５をガラス４に向けて凸となるように設けた方のアーム１に設けた取手部１０を掴んでこのアーム１のガラス接触部５をガラス４に接触するように回動させることで、簡単に両アーム１に設けたガラス接触部５でガラス４を挟持することができるようになると同時に、取手部１０を掴みながら取手部１０近傍の厚み目盛部７を指し示すことができて、ガラス４の厚みＴが測定し易くなるものである。
【００１４】
【発明の実施の形態】
以下、本発明を添付図面に示す実施形態に基づいて説明する。
【００１５】
本実施形態のガラス厚み測定具３は、図１に示すように、正面視略コ字状をした二枚の板状のアーム１をヒンジ部２で回動自在に連結したものである。
【００１６】
二枚の板状のアーム１のうちの一方を指示側アーム１ａとし、指示側アーム１ａの一端部にガラス４の一面４ａと略点接触する円弧状をしたガラス接触部５をガラス４との接触面側に凸となるように設けてこれをガラス点接触部５ａとし、更に、指示側アーム１ａの他端部にはガラス４の厚みＴを指示する厚み指示部６が設けてある。そして、二枚の板状のアーム１のうちの指示側アーム１ａではない方のアーム１を目盛側アーム１ｂとし、目盛側アーム１ｂの一端部にガラス４の他面４ｂと略線接触する直線状のガラス接触部５を内側に突設してこれをガラス線接触部５ｂとし、更に、目盛側アーム１ｂには、ガラス線接触部５ｂよりもヒンジ部２側の部位に、指示側アーム１ａに設けた厚み指示部６がガラス４の厚みＴを指示するための厚み目盛部７が設けてある。
【００１７】
指示側アーム１ａと目盛側アーム１ｂには、ヒンジピン２１を挿通する挿通孔（図示せず）が夫々設けられてあり、夫々の挿通孔を連通させた状態でヒンジピン２１を挿通し、ヒンジピン２１の先割れ部２１ａを開くことでヒンジ部２が形成されてあり、このヒンジ部２によって指示側アーム１ａと目盛側アーム１ｂとが回動自在に連結されるものである。
【００１８】
ヒンジ部２によって回動自在に連結される指示側アーム１ａと目盛側アーム１ｂは、ガラス点接触部５ａとガラス線接触部５ｂとが対向すると同時に、厚み指示部６が厚み目盛部７近傍に位置するように連結されてある。そして、図２に示すように、ガラス４の厚みＴを測定するために夫々のアーム１のガラス接触部５同士でガラス４を挟持した際、ガラス４の厚みＴに応じて両アーム１のヒンジ部２廻りの相対的な回動角が変化し、これに伴って指示側アーム１ａの厚み指示部６が目盛側アーム１ｂの厚み目盛部７の厚みＴを表示する目盛や数値を指し示すものである。更に、本実施形態では図３に示すように、指示側アーム１ａにおいて、ヒンジ部２からガラス点接触部５ａまでの長さＬ１をヒンジ部２から厚み指示部６までの長さＬ２よりも短くしてあるものである。このようにすることで、梃子の原理によって厚み目盛部７の目盛間隔が実際の間隔よりも大きくなって、厚み指示部６が指示する厚み目盛部７の目盛が読み易くなるものである。
【００１９】
また、ガラス４の厚みＴ計測時にガラス枠４１とアーム１との干渉を避けるため、ガラス枠４１を逃がす隙間となる枠収納部８を夫々のアーム１の内側に設けるものである。詳しく述べると、指示側アーム１ａの内側のガラス点接触部５ａよりもヒンジ部２側の部位に指示側アーム１ａ側の枠収納部８ａを設けると共に、目盛側アーム１ｂの内側のガラス線接触部５ｂよりもヒンジ部２側の部位に、目盛側アーム１ｂ側の枠収納部８ｂを設けてある。更に、ガラス４を夫々のガラス接触部５同士で挟持する際に、ガラス枠４１を押し当てて指示側アーム１ａを回動させるための押し当て部９を指示側アーム１ａの内側に設けてある。
【００２０】
また、指示側アーム１ａの厚み指示部６側端部には、厚み指示部６の反対方向に向けて取手部１０が設けてある。
【００２１】
以上のようなガラス厚み測定具３は、厚みＴを測定するガラス４のガラス枠４１付近に持っていき、夫々のアーム１をヒンジ部２を中心に回動させて夫々のガラス接触部５間に隙間を形成して、ガラス厚み測定具３をガラス４の方へ移動させて前期隙間にガラス枠４１及びガラス４を挿入していく。そして、図４（ａ）に示すように、ガラス枠４１を指示側アーム１ａの押し当て部９に接触させ、目盛側アーム１ｂのガラス線接触部５ｂをガラス４の他面４ｂに当接させながら更にガラス枠４１を押し当て部９に押し当てていくことで、指示側アーム１ａが回動してガラス点接触部５ａがガラス４の一面４ａ付近に位置するので、指示側アーム１ａの取手部１０を掴んで指示側アーム１ａを回動させ、ガラス点接触部５ａをガラス４の一面４ａに当接させて、両アーム１によるガラス４の挟持が完了となる。そして、取手部１０と厚み指示部６とが指示側アーム１ａの同じ側端部（すなわちガラス点接触部５ａが無い方の端部）に近接して設けてあるので、取手部１０を掴みながら厚み指示部６及び厚み目盛部７を指し示すことができ、簡単に測定ができるものである。
【００２２】
以上のようにすることによって、本実施形態におけるガラス厚み測定具３は、アーム１を薄い板状に成形することでガラス厚み測定具３を薄くできてパンフレット等に添付し易くでき、また、目盛側アーム１ｂに設けたガラス線接触部５ｂをガラス４と略線接触するように略直線状に設けてあるため、ガラス線接触部５ｂを片当りしないようにガラス４の他面４ｂに当接させることで、簡単に精度良くガラス４の厚みＴを計測できるようになるものである。
【００２３】
また、他の実施形態として図６に示すように、指示側アーム１ａのガラス点接触部５ａを先細形状で先端が尖った針状形状にすることにより、常に先端の一定点でガラスを保持することが可能となり、ガラス４の厚みＴを精度良く測定できるものである。
【００２４】
【発明の効果】
上記のように本発明の請求項１記載の発明にあっては、一対のアームをヒンジ部で回動自在に連結したガラス厚み測定具であって、一方のアームの一端部にガラスの一面と接触するガラス接触部をガラスに向けて凸となるように設けると共に他方のアームの一端部にガラスの他面と略線接触するガラス接触部を略直線状に設け、一対のアームのうちの一方のアームに厚み指示部を設けると共に他方のアームに厚み目盛部を設けて、夫々のアームのガラス接触部同士でガラスを挟持すると同時にガラスの厚みに応じて厚み指示部が厚み目盛部を指示するように両方のアームをヒンジ部で回動自在に連結したので、アームを薄い板状に成形することでガラス厚み測定具を薄くできて販売促進用のパンフレット等に添付し易くなると共に、一方のアームに設けたガラス接触部をガラスと略線接触するように略直線状に設けてあるため、前記略直線状のガラス接触部を片当りしないようにガラスの他面に当接させることで、簡単に精度良くガラスの厚みを計測できるようになるものである。
【００２５】
また請求項２記載の発明にあっては、上記請求項１記載の発明の効果に加えて一方のアームの一端部にガラスに向けて凸となるように設けるガラス接触部を先細形状としたので、先細形状としたガラス接触部をガラスの一面に接触させる際、常にガラス接触部の一定点でガラスと接触させることができるようなり、ガラスの厚みの測定精度を良くすることができるものである。
【００２６】
また請求項３記載の発明にあっては、上記請求項２記載の発明の効果に加えて一方のアームの一端部にガラスに向けて凸となるように設けるガラス接触部を略円弧状としたので、略円弧状としたガラス接触部をガラスの一面に接触させる際、常にガラス接触部の一点でガラスと接触させることができるようになってガラスの厚みの測定精度を良くできて且つ、ガラス接触部を略円弧状としたことで先細形状でありながら欠損や摩耗が起こりにくくすることができるものである。
【００２７】
また請求項４記載の発明にあっては、上記請求項１乃至３のいずれかに記載の発明の効果に加えて厚み指示部を設けたアームにおいて、ガラス接触部からヒンジ部までの長さを厚み指示部からヒンジ部までの長さよりも短くしたので、梃子の原理によって厚み目盛部の目盛間隔を実際の間隔よりも大きくとることができ、厚み指示部が指示する厚み目盛部の目盛が読み易くなるものである。
【００２８】
また請求項５記載の発明にあっては、上記請求項１記載の発明の効果に加えて夫々のアームの内側のガラス接触部よりもヒンジ部側の部位にガラス枠との干渉を避けるための枠収納部を夫々設け、ガラスを夫々のガラス接触部同士で挟持する時に、一対のアームのうちの一方のアームの内側にガラス枠を押し当ててこのアームを回動させるための押し当て部を前記アームの内側に設けたので、両アームに設けたガラス接触部でガラスを挟持する際、夫々のガラス接触部間に隙間を形成した状態でガラス接触部間にガラス枠及びガラスを挿入して、ガラス枠をアームに設けた押し当て部に押し当てていくことで、ガラス枠がガラス厚み測定具と干渉することなく簡単に両アームに設けたガラス接触部でガラスを挟持することができるようになるものである。
【００２９】
また請求項６記載の発明にあっては、上記請求項１乃至５のいずれかに記載の発明の効果に加えてガラス接触部をガラスに向けて凸となるように設けた方のアームの端部のうちガラス接触部を設けていない側の端部近傍に取手部を設けたので、略直線状にガラス接触部を設けた方のアームの前記略直線状のガラス接触部をガラスに当接させて、ガラス接触部をガラスに向けて凸となるように設けた方のアームに設けた取手部を掴んでこのアームのガラス接触部をガラスに接触するように回動させることで、簡単に両アームに設けたガラス接触部でガラスを挟持することができるようになるものである。
【００３０】
また請求項７記載の発明にあっては、上記請求項６記載の発明の効果に加えてガラス接触部をガラスに向けて凸となるように設けた方のアームと厚み指示部を設けたアームが同一のアームであり、前記アームの厚み指示部近傍に取手部を設けたので、略直線状にガラス接触部を設けた方のアームの前記略直線状のガラス接触部をガラスに当接させて、ガラス接触部をガラスに向けて凸となるように設けた方のアームに設けた取手部を掴んでこのアームのガラス接触部をガラスに接触するように回動させることで、簡単に両アームに設けたガラス接触部でガラスを挟持することができるようになると同時に、取手部を掴みながら取手部近傍の厚み目盛部を指し示すことができて、ガラスの厚みが測定し易くなるものである。
【図面の簡単な説明】
【図１】本発明の一実施形態を示し、（ａ）は正面図であり、（ｂ）は側面図である。
【図２】同上の実施形態のガラス厚み測定具にてガラスの厚みを測定する場合の説明図であり、（ａ）は５ｍｍ厚のガラスの厚みを測定する場合の説明図であり、（ｂ）は１５ｍｍ厚のガラスの厚みを測定する場合の説明図である。
【図３】（ａ）（ｂ）は同上の実施形態におけるヒンジ部からガラス接触部及びガラス当接部までの長さの関係を説明する説明図である。
【図４】（ａ）（ｂ）は同上の実施形態のガラス厚み測定具によってガラスを挟持する方法を順に説明する説明図である。
【図５】同上の実施形態のガラス厚み測定具によってガラスを挟持した状態を示す斜視図ある。
【図６】本発明の他の実施形態の正面図である。
【図７】従来のガラス厚み測定具の正面図である。
【符号の説明】
１  アーム
２  ヒンジ部
３  ガラス厚み測定具
４  ガラス
４ａ  一面
４ｂ  他面
５  ガラス接触部
６  厚み指示部
７  厚み目盛部
【図１】
0003941367.tif 000002
【図２】
0003941367.tif 000003
【図３】
0003941367.tif 000004
【図４】
0003941367.tif 000005
【図５】
0003941367.tif 000006
【図６】
0003941367.tif 000007
【図７】
0003941367.tif 000008